(57)【特許請求の範囲】
【請求項１】
系統解剖学に基づく、体表面上の複数の特定位置を、基準点として定める基準点決定工程と、
上記基準点間の距離寸法を、正中線、及びウエストライン方向に沿って夫々等分しうる複数の中間点を定める中間点決定工程と、
上記基準点及び／又は中間点により画成される複数の格子状区画を形成する格子状区画形成工程と、
基準姿勢において、上記基準点及び／又は中間点で囲まれる格子状区画毎に、上記格子状区画の辺部の長さ寸法を測定する基準姿勢測定工程と、
上記基準姿勢から、複数の形態に体勢を変化させ、夫々の形態において、上記格子状区画の辺部の長さ寸法を測定する動作姿勢測定工程と、
上記基準姿勢における、各格子状区画の辺部の長さ寸法と、上記複数の形態における、各格子状区画の辺部の長さ寸法とを夫々比較し、基本姿勢測定工程における測定結果から、各格子状区画の伸縮率の変化量を算出し、上記格子状区画毎に体表面の皮膚の伸縮率を算出する伸縮率算出工程とを備えることを特徴とする体型測定方法。
【請求項２】
上記基準姿勢測定工程及び上記動作姿勢測定工程は、上記基準点決定工程、及び上記中間点決定工程において体表面上に定めた基準点、及び中間点に、所定の厚さ寸法を有する目印部材を貼設する目印部材貼設工程と、
上記基準点、及び中間点を被覆しうるように、体表面上の所定範囲に水分を含有する石膏を塗布すると共に、上記水分を含有する石膏を所定時間乾燥して硬化させる石膏塗布・乾燥工程と、
硬化した上記石膏を、体表面から剥離すると共に、剥離した石膏の内側面部において、上記目印部材により形成された、基準点、及び中間点に対応する凹部を格子状に結ぶ格子線を描画する格子描画工程と、
上記格子描画工程で描画した、各格子状区画を被覆しうるように、濡らした紙片を貼付し、接着剤を塗布して上記紙片どおしを接着させた後、上記紙片を乾燥させる紙片貼設工程と、
上記紙片を乾燥させた後、格子状区画を紙片に転写し、その後剥離して格子状区画毎に上記紙片を切断し、上記切断された紙片の形状を夫々紙面上に転写して、各紙片の辺部の長さを測定する格子状区画辺部測定工程とを夫々備え、
上記伸縮率算出工程は、上記基準姿勢測定工程と動作姿勢測定工程の格子状区画辺部測定工程で夫々測定された、同一の格子状区画の各辺部の長さ寸法を相互に比較し、同一の辺部の長さ寸法の変化量から伸縮率を算出することを特徴とする請求項１記載の体型測定方法。
【請求項３】
上記基準点には、系統解剖学上における、左右少なくとも一方の前腋点、左右少なくとも一方の後腋点、左右の後腋点を結ぶ線と後正中線との交点、ウエストラインの左右少なくとも一方の端部点から、ウエストラインに沿って上記前腋点と後腋点の距離寸法の１／２の距離寸法分、身体前方側に離間した前ウエスト中点、ウエストラインの左右少なくとも一方の端部点からウエストラインに沿って、上記前腋点と後腋点の距離寸法の１／２の距離寸法分、身体後方側に離間した後ウエスト中点、ウエストラインと後正中線の交点、肘頭点、及び上肢骨内外側上顆の中点を含むことを特徴とする請求項２に記載の体型測定方法。
【請求項４】
上記基準姿勢は、両手を下方に垂下させた姿勢であると共に、
動作姿勢測定工程における動作姿勢には、基準姿勢において上肢を上方に向かって垂直に伸ばした状態を含むことを特徴とする請求項１記載の体型測定方法。
【請求項５】
上記目印部材のうち、前後の腋点の目印部材は、上肢側用と体幹側用の２枚が、互いに隣接して貼設されていることを特徴とする請求項３記載の体型測定方法。
【請求項６】
３次元画像を撮影しうる撮影装置と、上記撮影装置の撮影データを取り込み解析する電子計算機とから構成され、
上記撮影装置は、体表面上に予め、定めた基準点、及び記基準点間の距離寸法を、正中線、及びウエストライン方向に沿って夫々等分しうる複数の中間点に、目印部材が貼設された状態で、基準姿勢、及び複数の動作姿勢における３次元画像を撮影すると共に、
上記電子計算機は、上記撮影手段により撮影された、基準姿勢、及び複数の動作姿勢における３次元画像データから、上記目印部材の位置情報を３次元座標上に抽出すると共に、上記目印部材の位置を相互に結び、格子形状を形成する格子状区画データ作成手段と、
上記格子状区画データ作成手段により作成された、基準姿勢、及び動作姿勢における格子状区画の、各格子辺部の長さ寸法を測定すると共に、各格子辺部の長さ寸法の、基準姿勢からの変化量、及び変化率を算出する伸縮率算出手段と、
上記伸縮率算出手段で算出された各格子辺部の伸縮率を、格子辺部毎、若しくは格子の列、行単位で、表形式、及びグラフ形式で出力しうる結果出力手段とを備えることを特徴とする体型測定システム。
【請求項７】
上記基準点は、系統解剖学上における、左右少なくとも一方の肩峰点、左右少なくとも一方の後腋点、左右肩峰点を結ぶ体幹幅方向に沿った直線と後正中線との交点、左右後腋点を結ぶ体幹幅方向に沿った直線と後正中線との交点、ウエストラインと後正中線との交点、上記左右後腋点を結ぶ体幹幅方向に沿った直線と後正中線の交点から、上記一方の後腋点までの距離寸法と同一寸法分、上記ウエストラインと後正中線との交点から、ウエストラインに沿って身体前方側に向かって離間した点を含むことを特徴とする請求項６記載の体型測定システム。
【請求項８】
上記基準姿勢は、両手を下方に垂下させた姿勢であると共に、
動作姿勢測定工程における動作姿勢には、基準姿勢において両手を肩幅に開いて上方に向かって垂直に伸ばした状態、両手を肩幅に開いて前方に伸ばした状態、及び左右の腕を組み、右手を左頸側、左手を右頸側に夫々当てて首を抱えた状態が含まれることを特徴とする請求項６又は７のいずれか１項に記載の体型測定システム。
【発明の詳細な説明】
【技術分野】
【０００１】
本発明は、基本姿勢と、体を動作させた複数の形態の姿勢との間で、体表面の各部位の皮膚の伸縮率を算出し、被服のデザイン設計に必要なデータを測定する、体型測定方法及び体型測定システムに関する。
【背景技術】
【０００２】
被服のデザイン設計をする場合、着用時の体の動きを考慮し、良好な着心地が保持されるように、生地の各部位の寸法を決定する必要がある。
【０００３】
個人の体型に合わせたオーダーメイド被服（所謂オートクチュール）の場合、仕立て作業の効率化、及びコスト低減といった観点よりも、当該個人に対して最適な着心地の被服を提供することが優先されるため、体型測定も時間をかけて、細かい範囲で行うことができる。
一方、大量生産・販売を行う既成服の場合は、所定範囲の体型の者に対し、良好な着心地品質を確保すると共に、デザイン設計作業等の効率化によって、生産コストをできるだけ低減させる必要がある。
【０００４】
既成服のデザイン設計をする場合、幅広い体型層の人間が快適に着用できるようにするためには、様々な体型の人間について、複数の姿勢で体型の測定を行い、体表面の各部位における伸縮率等のデータを集計し、平均的な値を算出する必要がある。
【０００５】
従来、複数の姿勢における体型の測定を行う場合には以下の手順で行われていた。
基準姿勢である、両手を下方に垂下させて、体幹から２０度開き、背筋を伸ばした姿勢において、予め、体表面の所定の位置を、基点として、体の高さ寸法、及び幅寸法に沿って、相互に所定の間隔寸法（例えば５ｃｍ毎）を水溶性ペンで点表示する。
その後、点表示された状態で、上記基準姿勢から、両手を肩幅に開いて上方に向かって垂直に伸ばした状態、両手を肩幅に開いて前方に伸ばした状態、及び腕組み状態等の複数の姿勢の状態において、上記点表示の相互間隔寸法を測定し、基準姿勢における測定結果と比較することによって、体表面の皮膚の伸縮率等を算出する。
【０００６】
しかしながら、上記の方法にあっては、水性ペンで示した点が等間隔毎に記されることから、異なる体型の被測定者に、水性ペンで点表示を記した場合、必要な点の数が異なってくると共に、水性ペンで示した点表示の位置も、被測定者によってまちまちとなる。
例えば、正中線とウエストラインの交点を、基点として、体の高さ方向、及び幅方向に一定の間隔寸法で、点表示を記した場合において、体を動作させた場合の後腋点から肩峰まで範囲の皮膚の伸縮率を複数の被測定者について測定・算出する場合、各点表示の間隔が等間隔であるため、体型の違いによって、各点表示の、体表面上の相対的な位置が異なり、例えば、上記後腋点、及び肩峰に当たる部分に点表示が記されていない可能性もある。
このような場合、例えば、「後腋点から肩峰まで」のように、一定の範囲における伸縮率を正確に算出することが困難となり、複数の被測定者について、体表面上の所定位置の皮膚の伸縮率の平均値を、迅速に算出することが困難となる。
このため、現状において、被服のデザイン設計を行う場合には、繰り返し仮縫い、及び試着等の作業を行う必要があり、多大な時間を要していた。
従って、所定範囲の体型を有する被測定者に対して、動き易く、着心地が良い被服を、低コストで生産することが困難であった。
【発明の開示】
【発明が解決しようとする課題】
【０００７】
本発明の解決する課題は、迅速で効率的な体型測定を行うことが可能であると共に、複数の被測定者で体型測定を行った場合に、体表面上の各部位における伸縮率の平均値等、統計的な値を容易に算出することが可能であり、効率的な被服のデザイン設計を行うことができる体型測定方法及び体型測定システムを提供することにある。
【課題を解決するための手段】
【０００８】
上記課題を解決するために、請求項１に記載した発明に係る体型測定方法は、系統解剖学に基づく、体表面上の複数の特定位置を、基準点として定める基準点決定工程と、上記基準点間の距離寸法を、正中線、及びウエストライン方向に沿って夫々等分しうる複数の中間点を定める中間点決定工程と、上記基準点及び／又は中間点により画成される複数の格子状区画を形成する格子状区画形成工程と、基準姿勢において、上記基準点及び／又は中間点で囲まれる格子状区画毎に、上記格子状区画の辺部の長さ寸法を測定する基準姿勢測定工程と、上記基準姿勢から、複数の形態に体勢を変化させ、夫々の形態において、上記格子状区画の辺部の長さ寸法を測定する動作姿勢測定工程と、上記基準姿勢における、各格子状区画の辺部の長さ寸法と、上記複数の形態における、各格子状区画の辺部の長さ寸法とを夫々比較し、基本姿勢測定工程における測定結果から、各格子状区画の伸縮率の変化量を算出し、上記格子状区画毎に体表面の皮膚の伸縮率を算出する伸縮率算出工程とを備えることを特徴とする。
【０００９】
上記基準点は体表面上の特定位置であり、また、上記中間点は上記基準点の間を正中線、及びウエストライン方向に沿って夫々等分しうる位置に配置されるため、被測定者が異なる場合であっても、上記基準点、及び中間点の体表面上のおける位置、及び格子の区画数は同一となる。
従って、特定の区画の伸縮率を、複数の被測定者で測定した場合、同一の格子状区画であれば、体表面上における位置が必ず同一となることから、体表面上の特定の位置における体表面の皮膚の伸縮率を統計的に収集することができる。
【００１０】
また、請求項２に記載した発明に係る体型測定方法は、上記基準姿勢測定工程及び上記動作姿勢測定工程は、上記基準点決定工程、及び上記中間点決定工程において体表面上に定めた基準点、及び中間点に、所定の厚さ寸法を有する目印部材を貼設する目印部材貼設工程と、上記基準点、及び中間点を被覆しうるように、体表面上の所定範囲に水分を含有する石膏を塗布すると共に、上記水分を含有する石膏を所定時間乾燥して硬化させる石膏塗布・乾燥工程と、硬化した上記石膏を、体表面から剥離すると共に、剥離した石膏の内側面部において、上記目印部材により形成された、基準点、及び中間点に対応する凹部を格子状に結ぶ格子線を描画する格子描画工程と、上記格子描画工程で描画した、各格子状区画を被覆しうるように、濡らした紙片を貼付し、接着剤を塗布して上記紙片どおしを接着させた後、上記紙片を乾燥させる紙片貼設工程と、上記紙片を乾燥させた後、格子状区画を紙片に転写し、その後剥離して格子状区画毎に上記紙片を切断し、上記切断された紙片の形状を夫々紙面上に転写して、各紙片の辺部の長さを測定する格子状区画辺部測定工程とを夫々備え、上記伸縮率算出工程は、上記基準姿勢測定工程と動作姿勢測定工程の格子状区画辺部測定工程で夫々測定された、同一の格子状区画の各辺部の長さ寸法を相互に比較し、同一の辺部の長さ寸法の変化量から伸縮率を算出することを特徴とする。
【００１１】
従って、体表面上における所定の部位毎に、体を動作させた場合の体表面の皮膚の伸縮率を把握することが可能であると共に、上記基準点、及び中間点は、被測定者が異なる場合でも、体表面上の同一部位に配置されるため、複数の被測定者において、上記伸縮率の算出結果を収集して、傾向若しくは平均値を算出することによって、汎用的な被服を設計するための参考データを得ることができる。
【００１２】
また、請求項３に記載した発明に係る体型測定方法は、上記基準点には、系統解剖学上における、左右少なくとも一方の前腋点、左右少なくとも一方の後腋点、左右の後腋点を結ぶ線と後正中線との交点、ウエストラインの左右少なくとも一方の端部点から、ウエストラインに沿って上記前腋点と後腋点の距離寸法の１／２の距離寸法分、身体前方側に離間した前ウエスト中点、ウエストラインの左右少なくとも一方の端部点からウエストラインに沿って、上記前腋点と後腋点の距離寸法の１／２の距離寸法分、身体後方側に離間した後ウエスト中点、ウエストラインと後正中線の交点、肘頭点、及び上肢骨内外側上顆の中点を含むことを特徴とする。
【００１３】
従って、腕の運動における腋窩部分の体表面の皮膚の伸縮率を、効率的に測定することができる。
【００１４】
また、請求項４に記載した発明に係る体型測定方法は、上記基準姿勢は、両手を下方に垂下させた姿勢であると共に、動作姿勢測定工程における動作姿勢には、基準姿勢において上肢を上方に向かって垂直に伸ばした状態を含むことを特徴とする。
【００１５】
上記基準姿勢は、腕を体幹より約２０度、体幹の幅方向外方に開いた姿勢である。
基準姿勢から上記動作姿勢への各動作は、腋窩の運動量が大きい動作であるため、これら動作時の形態における体型を測定することによって、被服における体幹部と上肢部の接続部分のデザイン設計をする上で、非常に有益な情報を得ることができる。
【００１６】
また、請求項５に記載して発明に係る体型測定方法は、上記目印部材のうち、前後の腋点の目印部材は、上肢側用と体幹側用の２枚が、互いに隣接して貼設されていることを特徴とする。
【００１７】
前後の腋点は、腕を垂下した状態では、１点に集約されているが、上肢を上挙した場合には、上肢側と体幹側の皮膚が伸びて、点間距離が生じる。
従って、上肢側用と体幹側用の２枚が、互いに隣接して貼設しておくことによって、腋点における皮膚の伸びを測定することができる。
【００１８】
また、請求項６に記載した発明に係る体型測定方法は、３次元画像を撮影しうる撮影装置と、上記撮影装置の撮影データを取り込み解析する電子計算機とから構成され、上記撮影装置は、体表面上に予め、定めた基準点、及び記基準点間の距離寸法を、正中線、及びウエストライン方向に沿って夫々等分しうる複数の中間点に、目印部材が貼設された状態で、基準姿勢、及び複数の動作姿勢における３次元画像を撮影すると共に、上記電子計算機は、上記撮影手段により撮影された、基準姿勢、及び複数の動作姿勢における３次元画像データから、上記目印部材の位置情報を３次元座標上に抽出すると共に、上記目印部材の位置を相互に結び、格子形状を形成する格子状区画データ作成手段と、上記格子状区画データ作成手段により作成された、基準姿勢、及び動作姿勢における格子状区画の、各格子辺部の長さ寸法を測定すると共に、各格子辺部の長さ寸法の、基準姿勢からの変化量、及び変化率を算出する伸縮率算出手段と、上記伸縮率算出手段で算出された各格子辺部の伸縮率を、格子辺部毎、若しくは格子の列、行単位で、表形式、及びグラフ形式で出力しうる結果出力手段とを備えることを特徴とする。
【００１９】
従って、３次元画像のデータを電子計算機に取り込み、基本姿勢と動作姿勢間で、基準点、及び中間点で形成された格子状区画毎に、格子辺部の伸縮率が自動的に算出される。
【００２０】
また、請求項７に記載した発明に係る体型測定方法は、上記基準点は、系統解剖学上における、左右少なくとも一方の肩峰点、左右少なくとも一方の後腋点、左右肩峰点を結ぶ体幹幅方向に沿った直線と後正中線との交点、左右後腋点を結ぶ体幹幅方向に沿った直線と後正中線との交点、ウエストラインと後正中線との交点、上記左右後腋点を結ぶ体幹幅方向に沿った直線と後正中線の交点から、上記一方の後腋点までの距離寸法と同一寸法分、上記ウエストラインと後正中線との交点から、ウエストラインに沿って身体前方側に向かって離間した点を含むことを特徴とする。
【００２１】
従って、背中部分における体表面の皮膚の伸縮率を容易に測定することができる。
【００２２】
また、請求項８に記載した発明に係る体型測定方法は、上記基準姿勢は、両手を下方に垂下させた姿勢であると共に、動作姿勢測定工程における動作姿勢には、基準姿勢において両手を肩幅に開いて上方に向かって垂直に伸ばした状態、両手を肩幅に開いて前方に伸ばした状態、及び左右の腕を組み、右手を左頸側、左手を右頸側に夫々当てて首を抱えた状態が含まれることを特徴とする。
【００２３】
上記基準姿勢は、腕を体幹より約２０度、体幹の幅方向外方に開いた姿勢である。
基準姿勢から上記動作姿勢への各動作は、いずれも腋窩の運動量が大きい動作であるため、これら動作時の形態における体型を測定することによって、被服における体幹部と上肢部の接続部分のデザイン設計をする上で、非常に有益な情報となる。
【発明の効果】
【００２４】
請求項１及び請求項３の発明にあっては、系統解剖学に基づく、体表面上の複数の特定位置を、基準点として定める基準系統解剖学に基づく、体表面上の複数の特定位置を、基準点として定める基準点決定工程と、上記基準点間の距離寸法を、正中線、及びウエストライン方向に沿って夫々等分しうる複数の中間点を定める中間点決定工程と、上記基準点及び／又は中間点により画成される複数の格子状区画を形成する格子状区画形成工程と、基準姿勢において、上記基準点及び／又は中間点で囲まれる格子状区画毎に、上記格子状区画の辺部の長さ寸法を測定する基準姿勢測定工程と、上記基準姿勢から、複数の形態に体勢を変化させ、夫々の形態において、上記格子状区画の辺部の長さ寸法を測定する動作姿勢測定工程と、上記基準姿勢における、各格子状区画の辺部の長さ寸法と、上記複数の形態における、各格子状区画の辺部の長さ寸法とを夫々比較し、基本姿勢測定工程における測定結果から、各格子状区画の伸縮率の変化量を算出し、上記格子状区画毎に体表面の皮膚の伸縮率を算出する伸縮率算出工程とを備える。
【００２５】
各基準点は、系統解剖学に基づいて定められた点であると共に、各中間点は上記各基準点の間を、正中線、及びウエストライン方向に沿って夫々等分するように配置されることから、被測定者が異なる場合であっても、上記基準点、及び中間点は体表面上において同一の位置に配置される。
従って、迅速で効率的な体型測定を行うことが可能であると共に、複数の被測定者で体型測定を行った場合に、体表面上の各部位における伸縮率の平均値等、統計的な値を容易に算出することが可能であり、効率的な被服のデザイン設計を行うことができる体型測定方法及び体型測定システムを提供することができる。
また、請求項３の発明にあっては、上記基準点には、系統解剖学上における、左右少なくとも一方の前腋点、左右少なくとも一方の後腋点、左右の後腋点を結ぶ線と後正中線との交点、ウエストラインの左右少なくとも一方の端部点から、ウエストラインに沿って上記前腋点と後腋点の距離寸法の１／２の距離寸法分、身体前方側に離間した前ウエスト中点、ウエストラインの左右少なくとも一方の端部点からウエストラインに沿って、上記前腋点と後腋点の距離寸法の１／２の距離寸法分、身体後方側に離間した後ウエスト中点、ウエストラインと後正中線の交点、肘頭点、及び上肢骨内外側上顆の中点を含むことから、腕の運動における腋窩部分の体表面の皮膚の伸縮率を、より的確に把握することができる。
【００２６】
また、請求項２に記載した発明にあっては、上記基準姿勢測定工程及び上記動作姿勢測定工程は、上記基準点決定工程、及び上記中間点決定工程において体表面上に定めた基準点、及び中間点に、所定の厚さ寸法を有する目印部材を貼設する目印部材貼設工程と、上記基準点、及び中間点を被覆しうるように、体表面上の所定範囲に水分を含有する石膏を塗布すると共に、上記水分を含有する石膏を所定時間乾燥して硬化させる石膏塗布・乾燥工程と、硬化した上記石膏を、体表面から剥離すると共に、剥離した石膏の内側面部において、上記目印部材により形成された、基準点、及び中間点に対応する凹部を格子状に結ぶ格子線を描画する格子描画工程と、上記格子描画工程で描画した、各格子状区画を被覆しうるように、濡らした紙片を貼付し、接着剤を塗布して上記紙片どおしを接着させた後、上記紙片を乾燥させる紙片貼設工程と、上記紙片を乾燥させた後、格子状区画を紙片に転写し、その後剥離して格子状区画毎に上記紙片を切断し、上記切断された紙片の形状を夫々紙面上に転写して、各紙片の辺部の長さを測定する格子状区画辺部測定工程とを夫々備え、上記伸縮率算出工程は、上記基準姿勢測定工程と動作姿勢測定工程の格子状区画辺部測定工程で夫々測定された、同一の格子状区画の各辺部の長さ寸法を相互に比較し、同一の辺部の長さ寸法の変化量から伸縮率を算出することから、体表面上における所定の部位毎に、体を動作させた場合の体表面の皮膚の伸縮率を把握することが可能であると共に、複数の被測定者において、上記伸縮率の算出結果を収集して、傾向若しくは平均値を算出することによって、汎用的な被服を設計するための参考データを得ることができる。
従って、被服全体のサイズを大きくすること無く、皮膚の伸縮率が高い部位のみ、運動量を入れたデザイン設計をすることができると共に、多くの被測定者についての統計的値が簡単に得られることから、幅広い体型の人間が着用しても、着心地がよい既成服を提供し易くなる。
【００２７】
また、請求項４の発明にあっては、上記基準姿勢は、両手を下方に垂下させた姿勢であると共に、動作姿勢測定工程における動作姿勢には、基準姿勢において上肢を上方に向かって垂直に伸ばした状態を含むことから、腋窩の運動量が大きい動作形態における体型を測定することによって、被服における体幹部と上肢部の接続部分のデザイン設計をする上で、非常に有益な情報となる。
従って、より効率的に、幅広い体型の人間にフィットしうる既製服を提供することが容易となる。
【００２８】
また、請求項６の発明にあっては、３次元画像を撮影しうる撮影装置と、上記撮影装置の撮影データを取り込み解析する電子計算機とから構成され、上記撮影装置は、体表面上に予め、定めた基準点、及び記基準点間の距離寸法を、正中線、及びウエストライン方向に沿って夫々等分しうる複数の中間点に、目印部材が貼設された状態で、基準姿勢、及び複数の動作姿勢における３次元画像を撮影すると共に、上記電子計算機は、上記撮影手段により撮影された、基準姿勢、及び複数の動作姿勢における３次元画像データから、上記目印部材の位置情報を３次元座標上に抽出すると共に、上記目印部材の位置を相互に結び、格子形状を形成する格子状区画データ作成手段と、上記格子状区画データ作成手段により作成された、基準姿勢、及び動作姿勢における格子状区画の、各格子辺部の長さ寸法を測定すると共に、各格子辺部の長さ寸法の、基準姿勢からの変化量、及び変化率を算出する伸縮率算出手段と、上記伸縮率算出手段で算出された各格子辺部の伸縮率を、格子辺部毎、若しくは格子の列、行単位で、表形式、及びグラフ形式で出力しうる結果出力手段とを備えることから、３次元画像からのデータを電子計算機に取り込み、基本姿勢と動作姿勢間で、基準点、及び中間点から形成された、格子状区画毎に、格子辺部の伸縮率が自動的に算出される。
従って、体型測定結果の集計作業、及び分析作業の効率が極めて迅速に得られるため、被服のデザイン設計作業の効率が飛躍的に向上する。
【００２９】
また、請求項７の発明にあっては、上記基準点は、系統解剖学上における、左右少なくとも一方の肩峰点、左右少なくとも一方の後腋点、左右肩峰点を結ぶ体幹幅方向に沿った直線と後正中線との交点、左右後腋点を結ぶ体幹幅方向に沿った直線と後正中線との交点、ウエストラインと後正中線との交点、上記左右後腋点を結ぶ体幹幅方向に沿った直線と後正中線の交点から、上記一方の後腋点までの距離寸法と同一寸法分、上記ウエストラインと後正中線との交点から、ウエストラインに沿って身体前方側に向かって離間した点を含む。
従って、上記基準点、及び中間点は腕等の部位により隠されることが無いため、３次元画像の撮影の際に、基準点若しくは、中間点が隠れてしまうことが無く、更にデータの取得漏れ等が発生し難い。
【００３０】
また、請求項８の発明に係る体型測定システムは、上記基準姿勢は、両手を下方に垂下させて背筋を伸ばした姿勢であると共に、動作姿勢測定工程における動作姿勢には、基準姿勢において両手を肩幅に開いて上方に向かって垂直に伸ばした状態、両手を肩幅に開いて前方に伸ばした状態、及び左右の腕を組み、右手を左頸側、左手を右頸側に夫々当てて首を抱えた状態が含まれる。
腋窩の運動量が大きい動作形態における体型を測定することによって、被服における体幹部と上肢部の接続部分のデザイン設計をする上で、非常に有益な情報となる。
従って、既製服等のデザイン設計に必要となる、体型測定結果を、より効率的に得ることができる。
【図面の簡単な説明】
【００３１】
【図１】本発明に係る体型測定方法の一実施の形態を示し、石膏を用いた測定方法において、体型測定を行う場合の基準点、及び中間点を示し、（ａ）は身体を側方から見た前後の腋点位置、（ｂ）は身体を後方から見た場合の各基準点、及び中間点、（ｃ）は身体を前方から見た場合の各基準点、及び中間点を夫々示している。
【図２】本発明に係る体型測定方法の一実施の形態を示し、石膏を用いた測定方法において、（ａ）、（ｂ)は、体幹部及び上肢部から剥離した石膏の内側面部に各基準点および中間点を結ぶ格子線を描画し、各格子状区画に番号を振った状態を夫々示し、(ｃ)、(ｄ)は、体幹部及び上肢部から剥離した石膏の内側面部に描画した、格子線の各格子状区画に濡れた紙片を貼付した状態を示す斜視図である。
【図３】本発明に係る体型測定方法の形態を示し、石膏を用いた測定方法において、（ａ）は各格子状区画に貼設した紙片を剥がして区画毎に切断したものを並べた状態を示す図、（ｂ）は格子状区画ごとの伸縮率を示す図である。
【図４】本発明に係る体型測定システムの一実施の形態を示し、（ａ）は体表面における基準点、及び中間点に目印部材を貼付した状態、（ｂ）は（ａ）の状態を３次元撮影機で撮影した撮影画像図を夫々示している。
【図５】本発明に係る体型測定システムの一実施の形態を示し、基準姿勢と各動作姿勢における測定画像図を示している。
【図６】本発明に係る体型測定システムの一実施の形態を示し、（ａ）は基準姿勢における基準点と中間点を結ぶ格子線、（ｂ）は、基準姿勢において両手を肩幅に開いて上方に向かって垂直に伸ばした状態、（ｃ）は、両手を肩幅に開いて前方に伸ばした状態、（ｄ）は左右の腕を組み、右手で左頸側、左手で右頸側に夫々当てて首を抱えた状態の格子線の形状を示す画像図である。
【図７】本発明に係る体型測定システムの一実施の形態を示し、（ａ）は、両手を肩幅に開いて上方に向かって垂直に伸ばした状態の格子線と３Ｄ画像を重ね合わせた状態を示す画像図、（ｂ）は、（ａ）の格子線における横方向の各区画の寸法変化及び各区画の横方向の積算長の変化を示す表、及びグラフを示すウィンドウ画面、（ｃ）は、（ａ）の格子線における縦方向の各区画の寸法変化及び各区画の縦方向の積算長の変化を示す表を示すウィンドウ画面である。
【図８】本発明に係る体型測定システムの一実施の形態を示し、基準姿勢と、両手を肩幅に開いて上方に向かって垂直に伸ばした状態の格子線における所定の格子状区画の長さ寸法の変化を示すグラフを示すウィンドウ画面である。
【図９】本発明に係る体型測定方法及び体型測定システムの処理フローを示すフローチャートである。
【発明を実施するための最良の形態】
【００３２】
本発明を実施するための形態について、石膏測定方法によって、上半身右側半部の体幹部と同側の右上肢部の体型変化を測定する場合を例として、添付図面を用いて以下説明する。
図１、図９に示すように、本発明に係る体型測定方法１０は、系統解剖学に基づく、体表面上の複数の特定位置を、基準点１１として定める基準点決定工程４０と、上記基準点１１間の距離寸法を、後正中線２４、及びウエストライン２５方向に沿って夫々等分しうる複数の中間点１２を定める中間点決定工程４１と、上記基準点１１及び／又は中間点１２により画成される複数の格子状区画１９を形成する格子状区画形成工程４２とを備え、基準姿勢及び所定の動作後姿勢において、上記基準点決定工程４０と上記中間点決定工程４１において体表面上に定めた基準点１１、及び中間点１２に、所定の厚さ寸法を有する目印部材１３を貼設する目印部材貼設工程４３と、上記基準点１１、及び中間点１２を被覆しうるように、体表面上の所定範囲に水分を含有する石膏１５（図１には図示せず）を塗布すると共に、上記水分を含有する石膏１５を所定時間乾燥して硬化させる石膏塗布・乾燥工程４４と、図２（ａ）、（ｂ）に示すように、硬化した上記石膏１５を、体表面から剥離すると共に、剥離した石膏１５の内側面部１６において、上記目印部材１３により形成された、基準点１１及び中間点１２に対応する凹部１７を格子状に結ぶ格子線１８を描画する格子描画工程４５と、図２（ｃ），（ｄ）に示すように、上記格子描画工程４５で描画した、各格子状区画１９を被覆しうるように、濡らした紙片２０を貼付し、接着剤を塗布して上記紙片２０どおしを接着させた後、上記紙片を乾燥させる紙片貼設工程４６と、上記紙片２０を乾燥させた後、格子状区画１９を紙片２０に転写し、その後剥離して格子状区画１９毎に上記紙片２０を切断し、上記切断された紙片２０の形状を夫々紙面上に転写して、各紙片２０の辺部の長さを測定する格子状区画辺部測定工程４７とを備えた、基準姿勢測定工程４８と動作姿勢測定工程４９とを有し、上記基準姿勢測定工程４８と動作姿勢測定工程４９の格子状区画辺部測定工程４７で夫々測定された、同一の格子状区画１９の各辺部の長さ寸法を相互に比較し、同一の辺部の長さ寸法の変化量から伸縮率を算出する伸縮率算出工程５１とを有している。
【００３３】
また、図１（ａ）乃至（ｃ）に示すように、上記基準点１１は、系統解剖学上における、左右少なくとも一方の前腋点２２、左右少なくとも一方の後腋点２３、左右の後腋点２３を結ぶ線と後正中線２４との交点、ウエストライン２５の左右少なくとも一方の端部点１４から、ウエストライン２５に沿って上記前腋点２２と後腋点の距離寸法の１／２の距離寸法分、身体前方側に離間した前ウエスト中点１４ａ、ウエストラインの左右少なくとも一方の端部点１４からウエストラインに沿って、上記前腋点２２と後腋点２３の距離寸法の１／２の距離寸法分、身体後方側に離間した後ウエスト中点１４ｂ、ウエストラインと後正中線の交点、肘頭点２６、及び上肢骨内外側上顆の中点２７である。
【００３４】
また、図９に示すように、上記基準姿勢は、右腕を下方に垂下させて背筋を伸ばした姿勢であると共に、上記動作姿勢測定工程４９における動作姿勢には、基準姿勢において右側上肢の上方に向かって垂直に伸ばした状態である。
【００３５】
また、図１（ｂ）、（ｃ）に示すように、上記目印部材１３のうち、前後の腋点２２、２３の目印部材１３は、上肢側用２２ａ，２３ａと体幹側用２２ｂ、２３ｂの２枚が、互いに隣接して貼設されている。
【実施例１】
【００３６】
石膏測定方法による体型測定方法１０について、添付図面を用いて説明する。
図１は、本実施例に係る体型測定方法１０における、基準点１１及び中間点１２の配置を示している。
図１、図９に示すように、上記基準点決定工程４０と上記中間点決定工程４１において体表面上に定めた、上記基準点１１及び中間点１２に貼設される目印部材１３は、直径９ｍｍの円形シールを２枚重ね状態として所定の厚さ寸法を確保したものを用いる。
また、前後の腋点２２、２３においては、石膏１５が重なって、上記目印部材１３によって石膏１５の内側面部に生じる凹部１７が石膏が重なることにより目立ち難くなるため、上記目印部材１３として、２枚重ね状態に接着した力ボタンを用い、粘着剤を介して体表面に貼設することによって、目印部材１３の厚さ寸法を十分に確保し、石膏１５によって型取りした際に、内側面部に、確実に凹部１７が生じるようにする（目印部材貼設工程４３）。
【００３７】
図２（ａ）、（ｂ）、及び図９に示すように、上記基準点１１、及び中間点１２を被覆しうるように、体表面上の所定範囲に水分を含有する石膏１５を塗布し、所定時間乾燥して硬化させたのち、剥離する（石膏塗布・乾燥工程４４）。
【００３８】
次いで、図２（ａ）、（ｂ）、図９に示すように、剥離した石膏１５の内側面部に、上記目印部材１３によって生じた凹部１７を格子状に結び格子線１８を描画して番号を付け（格子描画工程４５）、図２（ｃ）、（ｄ）に示すように、上記格子描画工程４５で描画した、各格子状区画１９を被覆しうるように、和紙を濡らした紙片２０を上記石膏１５の内側面部に貼付し、上記紙片２０を乾燥させる（紙片貼設工程４６）。
【００３９】
図３、及び図９に示すように、上記紙片２０が乾燥した後、格子状区画１９を紙片２０に転写し、これを剥離した後、格子状区画１９毎に紙片２０を切取り、各紙片２０は、図３（ａ）に示すように、紙面２８上に貼付して、体表面の所定範囲単位の皮膚の伸縮率を計測・算出する。
また、図３（ｂ）に示すように、体表面の部分でグループ分けした状態及び個々の紙片２０の形状を紙面２９上に転記して、格子状区画１９毎に伸縮率を計測・算出する（格子状区画辺部測定工程４７）。
【００４０】
また、図９に示すように、上記石膏塗布・乾燥工程４４から、格子区画辺部測定工程４７までの工程を、基準姿勢と、右腕を下方に垂下させて背筋を伸ばした姿勢の両方について測定し（基準姿勢測定工程４８、動作姿勢測定工程４９）、両姿勢間において、測定した格子状区画１９の伸縮率を比較することによって、各格子状区画１９に対応する、体表面位置における伸縮率を算出することができる。
【００４１】
本実施例に係る方法によれば、基準点１１を系統解剖学に基づいて決定していることから、被測定者が変化しても、基準点１１、及び基準点１１の間を等分する中間点１２の体表面上における相対位置が変化しない。
従って、複数の被測定者の測定結果を統計的に集計し、体表面上の部位毎に伸縮率の平均値を算出することによって、複数の人間が着用した場合であっても、動き易く、着心地の良い、既成服のデザイン設計をする場合に、効率的な設計作業を行うことができる。
【実施例２】
【００４２】
本発明に係る体型測定システムについて、以下詳述する。
本実施例に係る体型測定システム１００は、３次元画像を撮影しうる撮影装置と、上記撮影装置の撮影データを取り込み解析する電子計算機とから構成されている。
上記撮影装置は、複数のカメラで同時に撮影した平面画像を合成して、３次元画像を作成する装置であり、複数の種類の装置が既に流通している。
また、電子計算機は、上記撮影装置で撮影された画像データを処理するためのものであり、画像データの処理を行うことが可能な処理スペックを有すると共に、分析結果を表及びグラフ等で出力するための表計算ソフトがインストールされている。
上記撮影装置、及び電子計算機とも、本実施例で用いる３次元画像の撮影及び画像データの処理が可能なスペックを有していれば、特に仕様が限定されることは無い。
【００４３】
上記撮影装置は、図４（ａ）に示すように、体表面上に、予め定めた基準点１１、及び上記基準点１１間の距離寸法を、夫々所定数に等分しうるように描画された、格子線１８の交点からなる中間点１２に、目印部材１３が貼設された状態を示している。
なお、本実施例にあっては、図４（ｂ）に示すように、上記基準点１１は、系統解剖学上における、右肩峰点１１ａ、右後腋点１１ｂ、左右肩峰点を結ぶ体幹幅方向に沿った直線と後正中線との交点１１ｃ、左右後腋点を結ぶ体幹幅方向に沿った直線と後正中線との交点１１ｄ、ウエストラインと後正中線との交点１１ｆ、上記左右後腋点を結ぶ体幹幅方向に沿った直線と後正中線の交点１１ｄから、右後腋点１１ｂまでの距離寸法と同一寸法分、上記交点１１ｆから、ウエストラインに沿って身体前方側に向かって離間した点１１ｅに定めている。
【００４４】
図４（ｂ）、及び図５に示すように、基準姿勢、及び基準姿勢において両手を肩幅に開いて上方に向かって垂直に伸ばした状態、両手を肩幅に開いて前方に伸ばした状態、及び左右の腕を組み、右手を左頸側、左手を右頸側に夫々当てて首を抱えた状態の３つの動作姿勢における３次元画像を撮影し、撮影された３次元画像データを、電子計算機に取り込む。
更に、図６、図９に示すように、上記撮影手段により撮影された、基準姿勢、及び複数の動作姿勢における３次元画像データを上記電子計算機に読み込み、上記電子計算機において、上記目印部材１３の位置情報を３次元座標上に抽出すると共に、上記目印部材１３の位置を相互に結び、格子形状を形成する（格子状区画データ作成手段５０）。
【００４５】
次に、図６に示す、上記格子状区画データ作成手段５０により作成された、基準姿勢、及び動作姿勢における格子状区画１９において、各格子辺部の長さ寸法を測定すると共に、各格子辺部の長さ寸法の、基準姿勢からの変化量、及び変化率を算出する（伸縮率算出手段５１）。
図６に示すように図７は、上記伸縮率算出手段５１で算出された各格子辺部の伸縮率を、動作姿勢毎に、出力した画面であり、図７においては、基準姿勢から、両手を肩幅に開いて上方に向かって垂直に伸ばした状態の動作姿勢における測定結果の出力例を示している。
【００４６】
図７（ａ）は、両手を肩幅に開いて上方に向かって垂直に伸ばした状態における、格子状区画１９の状態を示している。
図７（ｂ），（ｃ）に示すウィンドウは、格子状区画１９の格子辺部毎、若しくは格子の列、行単位で、格子辺部の長さ寸法が、基準姿勢から変化した割合（％）を表形式で出力したものである。
【００４７】
本実施例に係る体型測定システム１００にあっては、電子計算機に表計算ソフトがインストールされていることから、測定結果の加工を自由に行うことが可能であり、例えば、図８に示すように、基準姿勢からの変化率を、格子辺部毎、若しくは格子線の列または行毎に、折れ線グラフ形式で出力することも可能である。
【００４８】
本実施例に係る体型測定システム１００は、実施例１に示す石膏測定方法にと比較して、３次元画像の作成、測定データの分析に至るまでの作業、全て自動化している。
このため、体型測定のプロセスにおいて、石膏の塗布作業、紙片の貼付作業といった作業が一切不要となり、測定作業、及び測定データの分析作業の効率が飛躍的に向上する。
従って、実施例１の効果に加え、更に低コストで、動き易く、着心地の良い既成服のデザイン設計を行うことができる。
【００４９】
なお、実施例１及び実施例２で示した、基準点、及び中間点は、一例であり、系統解剖学に基づき、他の基準点を定めることもできる。
また、中間点位置を決定する格子線の間隔寸法についても、適宜変更することができる。
【００５０】
また、実施例２における、出力画面のイメージは、一例であり、また表、グラフの出力形式についても、必要に応じて適宜変更することができる。
【産業上の利用可能性】
【００５１】
本発明は、基本姿勢と、体を動作させた複数の形態の姿勢との間で、体表面の各部位の皮膚の伸縮率を算出し、被服のデザイン設計に必要なデータを測定する、体型測定方法及び体型測定システムに適用可能である。
【符号の説明】
【００５２】
１０ 体型測定方法
１１ 基準点
１１ａ基準点（肩峰点）
１１ｂ基準点（後腋点）
１１ｃ左右肩峰点を結ぶ体幹幅方向に沿った直線と後正中線との交点（基準点）
１１ｄ左右後腋点を結ぶ体幹幅方向に沿った直線と後正中線との交点（基準点）
１１ｅ左右後腋点を結ぶ体幹幅方向に沿った直線と後正中線の交点から、上記一方の後腋点までの距離寸法と同一寸法分、上記ウエストラインと後正中線との交点から、ウエストラインに沿って身体前方側に向かって離間した点（基準点）
１１ｆウエストラインと後正中線との交点（基準点）
１２ 中間点
１３ 目印部材
１４ ウエストラインの左右端部点
１４ａ前ウエスト中点
１４ｂ後ウエスト中点
１５ 石膏
１６ 石膏の内側面部
１７ 凹部
１８ 格子線
１９ 格子状区画
２０ 紙片
２２ 前腋点
２２ａ前腋点（上肢側）
２２ｂ前腋点（体幹側）
２３ 後腋点
２３ａ後腋点（上肢側）
２３ｂ後腋点（体幹側）
２４ 正中線
２５ ウエストライン
２６ 右側肘頭点
２７ 右側上肢骨内外側上顆の中点
４０ 基準点決定工程
４１ 中間点決定工程
４２ 格子状区画形成工程
４３ 目印部材貼設工程
４４ 石膏塗布・乾燥工程
４５ 格子描画工程
４６ 紙片貼設工程
４７ 格子区画辺部測定工程
４８ 基準姿勢測定工程
４９ 動作姿勢測定工程
５０ 格子状区画データ作成手段
５１ 伸縮率算出手段
１００ 体型測定システム
Ｘ 前腋点と後腋点との距離寸法
【図１】
0005385932.tif 000002
【図２】
0005385932.tif 000003
【図３】
0005385932.tif 000004
【図４】
0005385932.tif 000005
【図５】
0005385932.tif 000006
【図６】
0005385932.tif 000007
【図７】
0005385932.tif 000008
【図８】
0005385932.tif 000009
【図９】
0005385932.tif 000010